(57)【要約】      （修正有）【課題】海洋や河川の水中に浮遊するマイクロプラスチックの採取具を提供する。【解決手段】マイクロプラスチック採取具１０は、目開きが０．１ミリメートル以下のメッシュ４と、握り柄（グリップ）１を備えてメッシュ４が張設される空間を形成するフレーム２とから構成される。さらに、目開きが略５ミリメートルの第２のメッシュと、第２のメッシュが張設される空間を形成する第２のフレームと、を備え、メッシュ４を張設したフレーム２の上に第２のメッシュを張設した第２のフレームを被せる。【選択図】図１
0003232893.tif 000002
【実用新案登録請求の範囲】
【請求項１】
河川の水面や海面を掬ってマイクロプラスチックを採取するマイクロプラスチック採取具であって、
目開きが０．１ミリメートル以下の第１のメッシュと、
握り柄を備えて前記第１のメッシュが張設される空間を形成する第１のフレームと、
から成るマイクロプラスチック採取具。
【請求項２】
前記第１のメッシュは、ポリエステル又はナイロンを含む合成繊維又は金網素材である請求項１に記載のマイクロプラスチック採取具。
【請求項３】
前記第１のフレームは、炭素繊維素材、プラスチック、木材、中空のアルミ合金材の何れかである請求項１に記載のマイクロプラスチック採取具
【請求項４】
河川の水面や海面を掬ってマイクロプラスチックを採取するマイクロプラスチック採取具であって、
目開きが０．１ミリメートル以下の第１のメッシュと、
握り柄を備えて前記第１のメッシュが張設される空間を形成する第１のフレームと、
目開きが略５ミリメールの第２のメッシュと、
前記第２のメッシュが張設される空間を形成する第２のフレームと、
を備え、
前記第１のメッシュを張設した前記第１のフレームの上に前記第２のメッシュを張設した前記第２のフレームを被せて成るマイクロプラスチック採取具。
【請求項５】
前記第２のフレームには、前記第２のメッシュを透過して前記第１のメッシュに採取されたマイクロプラスチックを取り出すための取出口を設けた請求項４に記載のマイクロプラスチック採取具。
【請求項６】
前記第２のフレームは、クリップにより前記第２のメッシュを透過して前記第１のメッシュに採取されたマイクロプラスチックを取り除くための間隔を存するよう前記第１のフレームに被せた状態が保持される、請求項５に記載のマイクロプラスチック採取具。
【請求項７】
前記クリップは、前記第１のフレームを保持する第１保持部と、前記第２のフレームを保持する第２保持部と、前記第１保持部と前記第２保持部との間を前記間隔で仕切る仕切部と、を有する請求項６に記載のマイクロプラスチック採取具。
【請求項８】
前記第１のメッシュ及び前記第２のメッシュは、ポリエステル又はナイロンを含む合成繊維又は金網素材である請求項２乃至７の何れかの項に記載のマイクロプラスチック採取具。
【請求項９】
前記第１のフレーム及び前記第２のフレームは、炭素繊維素材、プラスチック、木材、中空のアルミ合金材の何れかである請求項８に記載のマイクロプラスチック採取具。
【考案の詳細な説明】
【技術分野】
【０００１】
本考案は、海洋や河川に浮遊するマイクロプラスチック採取具に関する。
【背景技術】
【０００２】
プラスチックは金属やガラスに比べて、炭素の結合が緩いため、経年的に紫外線によって結合が切れて劣化していく。そして、劣化によってプラスチックが粉砕されて、５ミリメートル以下の微細になったものがマイクロプラスチックと言われている。
【０００３】
最近の研究により、プラスチックは陸上でマイクロ化し、廃棄物処理から漏れてしまった分が雨で洗い流され、道路の排水口や河川を通じて海に流れ出て海や河川を汚染することも知られてきている。
【０００４】
通常のプラスチックやマイクロプラスチックの最大の問題は海洋生物の生態系の破壊であり、魚類、甲殻類、貝類やカモメといった海鳥、アザラシなどの海洋哺乳類が海水に混ざったマイクロプラスチックを誤嚥してしまい、特に、マイクロプラスチックは消化に適しないため、消化不全や胃潰瘍などを引き起こし、海洋生物を死に至らしめるばかりか、海洋生物を食す人間にもその悪影響が喧伝されている。
【０００５】
しかしながら、マイクロプラスチックは５ミリメートル以下の微細であるため河川や海に漂っているのが目視することができず、この問題がなかなか認識されない。
【０００６】
そのため、マイクロプラスチック問題を啓発するため、実際に河川や海の水面を掬ってマイクロプラスチックを採取する体験をしてもらうことが、少しでもマイクロプラスチックを削減するのみではなくマイクロプラスチック問題をより深刻に認識する上で有効である。
【０００７】
実際、マイクロプラスチックを取り除くこと作業は、マイクロプラスチック問題の研究の立場からも、例えばトロール方等によって海水中のマイクロプラスチックを大量に回収し若しくはサンプリング採取することが行われている。
【０００８】
また、浮力を提供するための浮力プレートを設けて、浮力プレートの中央部に配置され、上端が浮力プレート１の本体プレートと同じ高さで、海水を制限するための収集ボックス内に垂直方向に摺動可能に配置される収集ネットによりマイクロプラスチックを収集するマイクロプラスチックの収集装置も知られている（例えば、特許文献１を参照）。
【先行技術文献】
【特許文献】
【０００９】
【特許文献１】特許第６８１８１９９号公報
【考案の概要】
【考案が解決しようとする課題】
【００１０】
しかしながら、従来から行われているマイクロプラスチックの収集は環境アセスメントを目的としているために装置が大掛かりであることから、一般の人が実際にマイクロプラスチックの回収作業活動に参加し若しくはマイクロプラスチック問題の啓発のために行うマイクロプラスチックの採取の活動に使う教材としては不向きであった。
【００１１】
上記の課題に鑑みて、本考案は、一般の人が簡単にマイクロプラスチックを採取作業に参加することを可能として実際にマイクロプラスチックの回収作業を行うと共に、マイクロプラスチック問題の深刻さを認識することができるマイクロプラスチック採取具を提供することを目的とする。
【課題を解決するための手段】
【００１２】
本考案によるマイクロプラスチック採取具は、河川の水面や海面を掬ってマイクロプラスチックを採取するマイクロプラスチック採取具であって、目開きが０．１ミリメートル以下の第１のメッシュと、握り柄（グリップ）を備えて前記メッシュが張設される空間を形成する第１のフレームと、とから成る。
【００１３】
加えて、目開きが略５ミリメールの第２のメッシュと、前記第２のメッシュが張設される空間を形成する第２のフレームと、を更に備え、前記メッシュを張設した前記第１のフレームの上に前記第２のメッシュを張設した前記第２のフレームを被せて構成することで、マイクロプラスチックをその他のゴミなどから分別して採取できる。
【００１４】
その場合に、前記第２のフレームには、前記第２のメッシュを透過して前記メッシュに採取された前記マイクロプラスチックを取り除くための取出口を設けるとよい。
【００１５】
また、前記第２のフレームは、握り柄（クリップ）により前記第２のメッシュを透過して前記メッシュに採取された前記マイクロプラスチックを取り除くための間隔を存するようフレームに被せた状態が保持する。このとき前記握り柄は、前記フレームを保持する第１保持部と、前記第２のフレームを保持する第２保持部と、前記第１保持部と前記第２保持部との間を前記間隔分で仕切る仕切部とを有する構成であるとよい。
【考案の効果】
【００１６】
本考案によれば、河川の水面や海面を掬って簡単にマイクロプラスチックを実際に採取することができるため、マイクロプラスチックを実際に回収すると共に、採取体験を通じてマイクロプラスチック問題の啓蒙が図れる。
【図面の簡単な説明】
【００１７】
【図１】本考案の第１実施形態に係わるマイクロプラスチック採取具の組み立て外観斜視図を示す。
【図２】本考案の第２実施形態に係わるマイクロプラスチック採取具を示し、（ａ）は外観斜視図を示し、（ｂ）はメッシュをフレームに張設するクリップを示す。
【図３】本考案の第３実施形態に係わるマイクロプラスチック採取具の組み立て外観斜視図を示す。
【図４】本考案の第４実施形態に係わるマイクロプラスチック採取具の組み立て外観斜視図を示す。
【図５】本考案の第５実施形態に係わるマイクロプラスチック採取具を示し、（ａ）は組み立て外観斜視図を示し、（ｂ）はメッシュをフレームに張設するクリップを示す。
【図６】本考案の第６実施形態に係わるマイクロプラスチック採取具の組み立て外観斜視図を示す。
【考案を実施するための形態】
【００１８】
以下、本考案のマイクロプラスチック採取具の実施の形態を図面を参照しながら詳細に説明する。
【００１９】
図１に示す本考案の第１の実施形態のマイクロプラスチック採取具１０は、握り柄（グリップ）１が形成された第１のフレーム２と、第１のフレーム２に周縁が熱溶着されて第１のフレーム２が囲う空間に張設される第１のメッシュ４とで構成されている。第１のフレーム２の形状は円や長円、又は三角や四角などの多角形であってもよい。
【００２０】
第１のメッシュ４にはシルク、ポリエステルやナイロンなどの合成繊維、又は極小の線径の例えば０．１ｍｍ以下の金網が用いられる。メッシュ４の目開きは５ミリメートル以下であればよく、例えば、１／３００インチ（約０．０８ミリメートル）であれば握り柄１によってフレーム２で河川や海の水面を掬えば浮遊しているマイクロプラスチックを確実に採取でき、マイクロプラスチック問題を体現することができる。
【００２１】
第１のフレーム２は、熱溶着性を持つポリアミド系、ポリオレフィン系、ポリエステル系の樹脂材料で形成され、メッシュ４をその周縁を載せて加熱することでメッシュ４の周縁がフレーム２溶着されて張設される。
【００２２】
上記のマイクロプラスチック採取具１０は合成樹脂の成型品であるため、安価で製造しやすい利点があるが、マイクロプラスチック問題を啓発するための教材に合成樹脂を使用することはその問題の本質に矛盾するといえる。そこで、金属や木材を使用した実施形態のマイクロプラスチック採取具について説明する。
【００２３】
図２に示す本考案の第２の実施形態の金属製のマイクロプラスチック採取具２０は、１本の針金を曲げ加工して、握り柄１を備えるフレーム２を成形する。握り柄１は締めリング１３で絞られている。第１のメッシュ４は第１のフレーム２に被せられて、その周端がクリップ１５で金属部材１１のフ第１のレーム２を包むように折り曲げられた状態で適宜の間隔を存して保持されて金属部材１１の第１のフレーム２が囲う空間に張設される。
【００２４】
図３に示す本考案の第３の実施形態の木製のマイクロプラスチック採取具３０は、木片を継ぎ合わせて握り柄１を備えるフレーム２を成形する。第１のフレーム２の形状は図示の四角に限らず三角や台形であってもよい。第１のメッシュ４は第１のフレーム２に被せられて、その周端で第１のフレーム２の辺に載っている部分にステイプル針２５が打ち込まれて第１のフレーム２が囲う空間に張設される。図示では第１のフレーム２の二辺でしかステイプル針２５が打ち込まれていないが、少なくとも四辺にそれぞれステイプル針２５を打ち込み張設するのがよい。
【００２５】
以上説明した本考案の実施形態によるマイクロプラスチック採取具１０、２０、３０で河川又は海の水面を掬うと、それぞれの第１のメッシュ４は目開きが細かいため、マイクロプラスチックよりサイズの大きいゴミや塵埃までもが採取されてしまい後で分別する必要がある。
【００２６】
よって、目開きが、例えば１／３００インチの極小のメッシュ４（第１メッシュ）に加えて、それより大きい目開きが粗い、例えば５ミリメートルの第２メッシュ５を備えるマイクロプラスチック採取具で掬えば、まず第２メッシュ５で５ミリメートル以上のゴミが分別され、第１メッシュ４で殆どがマイクロプラスチックである５ミリメートル未満の物質が採取できる。第２メッシュ５も第１メッシュ４と同様に、シルク、ポリエステルやナイロンなどの合成繊維、又は極小の線径の例えば０．１ｍｍ以下の金網が用いられる。
【００２７】
以下、このような第１のメッシュ４及び第２メッシュ５の２通りのメッシュを備えるマイクロプラスチック採取具について説明する。
【００２８】
図４に示す本考案の第４の実施形態のマイクロプラスチック採取具４０は、図１と同様な握り柄（グリップ）１が形成された合成樹脂製のフレーム２と、このフレーム２に着脱自在に嵌合する第２のフレームである合成樹脂製の係合リング３３とで構成されている。係合リング３３には第２のメッシュ５の周縁が溶着されて、第２のメッシュ５は、係合リング３３の中央の空間に張設されている。係合リング３３は内径が中空フレーム２の外径と略等しく、中空フレーム２に係合リング３３を被せることで、マイクロプラスチック採取具４０を組み立てる。係合リング３３には、第１のフレーム２に被せたとき握り柄１が逃げとなる切欠３４が設けられている。
【００２９】
マイクロプラスチック採取具４０で河川や海の水面を掬ったとき、ゴミ等は第２メッシュ５に残り、マイクロプラスチックは第２メッシュ５を透過してマイクロプラスチック採取具４０の内部の第１メッシュ４上に採取される。このとき、係合リング３３をフレーム２から取り外すことで、採取されたマイクロプラスチックを取り出すことができる。
【００３０】
図５（ａ）に示す本考案の第５の実施形態のマイクロプラスチック採取具５０は、図２と同様な１本の針金を曲げ加工して成る握り柄（グリップ）１を備える第１のフレーム２と共に、この第１のフレーム２の第１メッシュ４が張設される空間を形成している部分と同じ寸法と形状の金属フレーム１２を備えて、金属フレーム１２が金属部材１１のフレーム２と隙間を存して重なるように図５（ｂ）に示すクリップ４３によって保持されて構成される。
【００３１】
クリップ４３は、金属部材１１のフレーム２に張設される第１メッシュ４の周端に包まれた状態でフレーム２を保持する第１クリップ部４３ａと、金属部材１２が囲う空間に張設される第２メッシュ５の周端に包まれた状態で金属フレーム１２を保持する第２クリップ部４３ｂと、第１及び第２クリップ部４３ａ、４３ｂとの間に設けられて、金属部材１１のフレーム２と金属フレーム１２を重ね合わせたとき隙間を生じさせる仕切部４３ｃとを有する。
【００３２】
マイクロプラスチック採取具５０では、クリップ４３の仕切部４３ｃによって金属部材１１のフレーム２と金属フレーム１２とが隙間を存して重ね合わされているため、マイクロプラスチック採取具４０で掬った後、マイクロプラスチック採取具５０のメッシュの面が垂直となるように動かせば第１メッシュ４上に採取されたマイクロプラスチックを取り出すことができる。よって、クリップ４３の仕切部４３ｃによって形成されるフレーム２と金属フレーム１２との間の隙間がマイクロプラスチックの取出口となる。
【００３３】
図６に示す本考案の第６の実施形態のマイクロプラスチック採取具６０は、図３と同様に、木片を継ぎ合わせて握り柄１を備えるフレーム２と共に、フレーム２の第１メッシュ４が張設される空間を形成している部分と同じ寸法と形状の木製フレーム５３を備えて、木製フレーム５３には第２メッシュ５がその周端にステイプル針２５が打ち込まれて木製フレーム５３が囲う空間に張設されている。そして、木製フレーム５３には各辺には切欠き５４が設けられている。
【００３４】
フレーム２に第１メッシュ４が張設されたフレーム２と第２メッシュ５が張設された木製フレーム５３とが、互いのフレームどうしが重なるように貼り合わされてマイクロプラスチック採取具６０が形成される。
【００３５】
このとき、貼り合わせた木製フレーム５３の切欠き５４が第１メッシュ４上に採取されたマイクロプラスチックの取出口となる。よって、マイクロプラスチック採取具６０掬った後、この取出口を下向きにすることで第１メッシュ４上に採取されたマイクロプラスチックをマイクロプラスチック採取具６０から取り出すことができる。
【００３６】
以上詳述したマイクロプラスチック採取具１０、２０、３０、４０、５０、６０の握り柄１の長さやフレームの大きさは使用状況に応じて適宜に設定される。例えば、船の上から掬うのであればフレーム２の面積を大きくするのがよく、特に握り柄１は長く（３メートル以上）にする。
【００３７】
また、海岸や川岸から掬うのであれば、フレーム２の握り柄１は例えば１乃至２メートル程度に短くする。
【００３８】
さらに、当然のことながら、大人用は、フレーム２の面積を大きくし握り柄１は長くするが、子供用は、フレーム２の面積を小さく、握り柄１は年齢や体格に応じて短くする。
【００３９】
本考案は、海洋又は下線に浮遊するマイクロプラスチックを回収するマイクロプラスチック回収具に関するものであり、産業上の利用可能性を有する。
【符号の説明】
【００４０】
１      握り柄（グリップ）
２      フレーム（第１のフレーム）
４      第１のメッシュ
５      第２のメッシュ
１２    金属フレーム（第２のフレーム）
４３    クリップ
４３ａ  第１保持部
４３ｂ  第２保持部
４３ｃ  仕切部
３３    係合リング（第２のフレーム）
５３    木製フレーム（第２のフレーム）
【図１】
0003232893.tif 000003
【図２】
0003232893.tif 000004
【図３】
0003232893.tif 000005
【図４】
0003232893.tif 000006
【図５】
0003232893.tif 000007
【図６】
0003232893.tif 000008